(57)【要約】      （修正有）【課題】  取り扱う試液や容器等の情報の取得を、作業者に手間を強いることなく簡易な構成でミスなく取得し得るピペッタを提供するものである。【解決手段】  ピペッタは、容器内のサンプル等を吸引または容器内へサンプル等を吐出するための動作スイッチを備えたものであって、容器自身や内容物に関する発信情報を、前記動作スイッチの作動をトリガーとして取得開始するように構成されていることを特徴とする。【選択図】図５
0003124943.tif 000002
【実用新案登録請求の範囲】
【請求項１】
容器内のサンプル等を吸引または容器内へサンプル等を吐出するための動作スイッチを備えたピペッタであって、
容器自身や内容物に関する発信情報を、前記動作スイッチの作動をトリガーとして情報を取得開始する受信手段を備えたことを特徴とするピペッタ。
【請求項２】
吸引吐出すべき容器や内容物に関する予定情報を記録した記憶手段と、前記予定情報と前記取得情報との比較手段を備えたことを特徴とする請求項１記載のピペッタ。
【考案の詳細な説明】
【技術分野】
【０００１】
本考案は、液体等を吸引吐出するピペッタに関し、特に異なる容器間で内容液等を移送することに用いられるピペッタとして好適に利用される。
【背景技術】
【０００２】
臨床、生化学、化学合成等さまざまな分野における試験や実験において、試験管、試薬瓶、サンプルカップなどに収容されている試液等を移送するためにピペットが多用されている。一般には先端部内径が数ｍｍのノズルを備え、手動あるいは別途のポンプ機構による減圧・加圧によって吸引吐出動作が行われる（例えば特許文献１）。
【０００３】
こうしたピペットによる薬液等の移送には、一般に内容物の確認・記録作業を伴う。即ち、吸引した液体が何であり、また吐出先の容器の特定や、吐出された容器側における収容液を正確に記録しておくことが必要になる。そのため、従来の自動分注装置などにおいては、試薬容器やそのホルダの側面などに、内容液に関する情報を記録したバーコードが貼付してあり（例えば特許文献２、特許文献３）、ピペットによる吸引吐出時には別途備えた光学式バーコード読取装置によって内容液や吐出先容器に関する情報を取得するようになっている（特許文献４、特許文献５）。
【０００４】
【特許文献１】特開２００１−５０９６８号公報
【０００５】
【特許文献２】特開平７−１５１７６６号公報
【０００６】
【特許文献３】特開平８−１２２３３６号公報
【０００７】
【特許文献４】特開平１１−９４８４２号公報
【０００８】
【特許文献５】実開平７−５０６１号公報
【考案の開示】
【考案が解決しようとする課題】
【０００９】
しかしながら、バーコードによる読み取りは、バーコードシールの皺や汚れにより読み取れないケースも発生し、またバーコードの自動読み取りのための装置の光学系の位置合わせも必要であり機構が複雑化する。携帯型の光学式読み取り装置を用いて手動でバーコードを読み取る場合にも、ピペットと読み取り装置とを操作者が手でいちいち持ち替える必要があり、作業が面倒であり、また読み取り忘れやミスも発生する。免疫学的検査などの場合、サンプルの記録ミスは即ち対象患者の取り違えにつながり、ミスの発生を皆無にすることができる信頼性の高いシステムが求められる。
【００１０】
本考案はこうした技術的課題や要求仕様を鑑みて為されたものであり、作業者に手間を強いることなく取り扱う試液等の情報の取得を簡易な構成でミスなく取得し得るピペッタを提供するものである。
【課題を解決するための手段】
【００１１】
（請求項１）
本考案に係るピペッタは、容器内のサンプル等を吸引または容器内へサンプル等を吐出するための動作スイッチを備えたものであって、容器自身や内容物に関する発信情報を、前記動作スイッチの作動をトリガーとして情報を取得開始する受信手段を備えたことを特徴とする。
（効果）
対象物からの発信情報を、吸引や吐出のため動作スイッチの起動という必須の動作と連動させて取得するように構成しているため、操作者に余分な作業が発生せず、記録忘れなどのミスも完全に防止することができる。
（請求項２）
また、これらの構成に加えて、吸引吐出すべき容器や内容物に関する予定情報を記録した記憶手段と、前記予定情報と前記取得情報との比較手段を備えたことを特徴とする。
（効果）
吸引吐出動作が予定しているものと異なるものであるかどうかを確認することができるので、誤操作を未然に防止することができる。
【考案を実施するための最良の形態】
【００１２】
以下、図を参照して本考案の実施形態について説明する。
【００１３】
本考案に係るピペッタは、図１や図２に示すような情報発信機を備えた薬液容器、サンプルカップ等と一緒に使用される。情報発信機としては、例えば情報を無線によってやりとりすることができるRFID（Radio frequency Identification）等の非接触ICタグが利用できる。発信される情報としては、例えば生体検査の場合、ピペットが吸引するサンプル液の検体ID、被験者ID、採取日時、吸引許可などであり、ピペットの吐出先の容器に付された非接触タグからの発信情報は、カップID、カップ形状、使用期限、吐出許可などである。なお、このような非接触ICタグは容器自身に直接付設されていても良いが、サンプルカップ等のホルダや載置場所に付設するようにすれば、汚染される容器自身は使い捨てのものであっても対応できる。このように、内容液や容器自身に関する情報を無線発信することができる容器等を用いる一方で、本考案に係るピペッタはこれらの情報を取得する。
【００１４】
本考案に係るピペッタの一実施形態を図３に示す。取り扱うべき薬液等の吸引吐出にかかる、いわゆるピペットとしての基本機能は、ガラス製や樹脂製の本体管を備え、吸引側とは反対側の開口から加減圧を行うことにより吸引吐出を行うという公知の機構を採用することができ、ここでは説明を割愛する。吸引吐出のための減圧加圧機構は、エアポンプにより機械化されたものであっても、いわゆる駒込ピペットのようなゴム球を備えたものであっても良い。ただ、本考案に係るピペッタでは、吸引吐出の動作を実行させるための動作スイッチ（吸引スイッチおよび吐出スイッチ）を備えた構成とされる。機械化されたものであれば、エアポンプの作動スイッチと連動したものであるし、手動によるものであれば、例えば吸引または吐出動作の際にゴム球等を潰した際の形状の変化により信号が送出されるものとすることができる。これらのスイッチ機構は市販されている公知のもので構わない。動作スイッチからの信号は、外部の記録／計算装置に送出される。図３では有線で描かれているが、勿論無線であっても構わない。
【００１５】
さらに、本考案に係るピペッタにおいては、非接触の情報読取装置を備えており、サンプルカップ等から発信された内容液や容器自身に関する情報を取得する。非接触の情報読取装置としては、例えば市販のRFIDアンテナ等を用いることができる。
【００１６】
本考案では、内容液や容器自身に関する情報を無線発信することができる容器を用いることによって、ピペッタがこれらの情報を取得するが、情報の取得のきっかけ（トリガー）として、ピペットの動作スイッチの作動という必須の動作を利用している点に特徴を有している。次に図４乃至図７を用いて、本考案に係るピペッタの動作を説明する。
【００１７】
図４はピペッタの吸引吐出動作をシリンジポンプPにより機械的に実施させることができる分注装置の全体構成を示している。ピペッタ以外はいわゆる汎用の分注装置で構わない。図５も併用して動作について説明する。ここではピペッタ１は動作スイッチとして吸引スイッチ１１および吐出スイッチ１２を備えている。操作者が吸引スイッチ１１をONにすると、ピペッタ１に付設されているRFIDアンテナからなる情報読取装置１３が、サンプル容器等に付設されたRFIDタグから発信されている情報を取得して記録装置Kへ情報信号を送る。記録装置Kは取得した情報を記録する一方、事前に保有している吸引すべき容器IDや液情報、使用期限などの情報と取得した情報とを比較する。比較の結果、不適切と判定すれば、ピペッタ１に付設されている警告ランプ１４を点灯させるなどして作業者に警告し、制御装置Sへの吸引命令を中止して誤操作を防止する。比較の結果、適切と判定すればさらに制御装置Sへ吸引命令信号が送られ、制御装置SはポンプPおよびバルブVを操作してピペッタ１の吸引動作を行う（図６）。
【００１８】
図７はピペッタの吐出動作時のものであって、まず吐出スイッチ１２をONにすると、ピペッタ１に付設されているRFIDアンテナからなる情報読取装置１３が、サンプル容器等に付設されたRFIDタグから発信されている情報を取得して記録装置Kへ情報信号を送る。記録装置Kは取得した情報を記録する一方、事前に保有している吐出すべき容器IDや液情報などの情報と取得した情報とを比較する。比較の結果、不適切と判定すれば、ピペッタ１に付設されている警告ランプ１４を点灯させるなどして作業者に警告し、制御装置S（図４）への吐出命令を中止して誤操作を防止する。比較の結果、適切と判定すればさらに制御装置Sへ吐出命令信号が送られ、制御装置SはポンプPおよびバルブVを操作してピペッタ１の吐出動作を行う（図８）。
【００１９】
以上は、本考案に係るピペッタの一実施例であって、その他、情報の取得のきっかけ（トリガー）として、ピペットの動作スイッチの作動を利用するという要旨を逸脱しない範囲で変形実施も可能である。例えば、サンプル容器やカップに「吸引」あるいは「吐出」のいずれかの動作許可が付随していれば、そのカップに対するピペット動作は一意的に決まるので、ピペットの動作スイッチは１つでも構わない。また、例えば、上述の構成では吸引スイッチ１１をONにしてから吸引対象情報を取得して記録・判定しているが、判定のための情報取得は対象容器２の近傍に位置するときに常時取得するものとし、判定後に吸引スイッチ１１をONにして、このときに実際に吸引した対象物の情報を記録するようにしても良い。吐出時も同様である。この場合、不適切判定時の動作もポンプPの動作ではなく、吸引スイッチ１１による動作指令を無視するなど、種々の変形実施が可能である。警告ランプ１４も音声警告手段に置換することもできる。
【産業上の利用可能性】
【００２０】
本考案に係るピペッタは、ピペッタの自動昇降駆動機構を備えた自動分注装置にも適用可能である。また、液体以外にもゲルや粉体など液体以外の試料を取り扱うピペッタでも同様である。
【図面の簡単な説明】
【００２１】
【図１】情報発信機を備えたサンプル採取管の一構成例を示す図である。
【図２】情報発信機を備えたサンプルカップの一構成例を示す図である。
【図３】本考案に係るピペッタの一構成例を示す図である。
【図４】本考案に係るピペッタのポンプ機構を備えた構成例を示す図である。
【図５】本考案に係るピペッタの吸引動作を説明する図である。
【図６】本考案に係るピペッタの吸引動作を説明する図である。
【図７】本考案に係るピペッタの吐出動作を説明する図である。
【図８】本考案に係るピペッタの吐出動作を説明する図である。
【符号の説明】
【００２２】
１・・・ピペッタ
２・・・サンプル管
１１・・・吸引スイッチ
１２・・・吐出スイッチ
１３・・・情報読取装置
１４・・・警告ランプ
Ｋ・・・記録装置
Ｓ・・・制御装置
Ｐ・・・ポンプ
【図１】
0003124943.tif 000003
【図２】
0003124943.tif 000004
【図３】
0003124943.tif 000005
【図４】
0003124943.tif 000006
【図５】
0003124943.tif 000007
【図６】
0003124943.tif 000008
【図７】
0003124943.tif 000009
【図８】
0003124943.tif 000010